(57)【要約】      （修正有）【課題】折り畳んでいた或は丸く巻き上げていたマットレスを展開し使用した時、就寝者の体動によるマットレスの妄動を防止し、又ベルト固定手段である面ファスナーの突子による就寝者への刺激をなくしたマットレスを提供する。【解決手段】一端を固定端部１０とし、他端を自由端部９としたベルト１１の、固定端部１０をマットレス１の端縁部７の裏面部８に、自由端部９がマットレス１の外側に向け突出するよう固定し、自由端部９の、マットレス１の裏面部８に相対する面には、ベルト位置固定用面ファスナー・フック１３を設ける。ベルト１１に設けた自由端部折り返し部１２ａ及び固定端部折り返し部１２ｂを折り返してベルト１１を屈折し、ベルト位置固定用面ファスナー・フック１３をマットレス裏面部８と対向させ、面ファスナー・フック１３が対向するマットレス裏面部８に、ベルト固定用面ファスナー・パイル１４を配してなる。【選択図】図１
0003186577.tif 000002
【実用新案登録請求の範囲】
【請求項１】
一端を固定端部１０とし、他端を自由端部９としたベルト１１の、前記固定端部１０をマットレス１の端縁部７の裏面部８に、前記自由端部９がマットレス外側に向け突出するよう固定し、自由端部９の、マットレス１の裏面部８に相対する面には、ベルト位置固定用面ファスナー・フック１３を設けると共に、ベルト１１に設けた自由端部折り返し部１２ａ及び固定端部折り返し部１２ｂを折り返してベルト１１を屈折し、ベルト位置固定用面ファスナー・フック１３をマットレス裏面部と対向させ、面ファスナー・フック１３が対向するマットレス裏面部８に、ベルト固定用面ファスナー・パイル１４を配してなるマットレス。
【請求項２】
一面又は両面に発泡体をプリントしてなる滑り止め１６を施したことを特徴とする請求項１記載のマットレス。 
【考案の詳細な説明】
【技術分野】
【０００１】
本考案は、敷寝具として使用するウレタンフォームを用いたマットレスに関する。
【背景技術】
【０００２】
敷寝具の芯材としてウレタンフォームは一般に使用されているが、不使用時等の収納のためそれを折り畳む際などに扱いにくく、折り畳み部位を特定し、その部分の構造を他部とは異ならせ、折り畳みし易いものとすることが考えられている（特許文献１，２）。
【０００３】
然し、このような構成にすれば寝具の価格に影響することは必至であり、また寝具の収納時、折り畳んだ寝具の大きさは予め設定された所定の折り畳み部位で決定され、折り畳んだ大きさを任意に選択することは出来ないことになる。
また、ウレタンフォームを折り畳まず、巻いて収納するものとした場合は、その巻いた形状を保つために面ファスナーの付いたベルトとマットレスのカバー等の表面材に設けた面ファスナーとを係合させマットレスを固定することが行われている。
このマットレスを使用する場合には、ベルトをマットレスカバーの面ファスナーから外して用いることになるが、その際に外したベルトの端部が固定されず自由に動き取り扱い上邪魔になる。そこでマットレスを使用する際にはベルトが不動状態に保たれるようにその固定手段を設けている。
【０００４】
また、所定の折り畳み線で折り畳んで、折り畳んだ状態を保つための固定紐を取り付けた座布団も知られ（特許文献３）ているが、この紐も座布団を収納する際に座布団を緊縛する目的で使用するもので、それ以外の用途については考慮されておらず、紐の緊縛を解いて座布団を使用しているときには紐は邪魔になる。
【先行技術文献】
【特許文献】
【０００５】
【特許文献１】実開平６−４８４５３号公報
【特許文献２】実用新案登録第３０８４０３９号公報
【特許文献３】実用新案登録第３０４２３３７号公報
【考案の概要】
【考案が解決しようとする課題】
【０００６】
本考案は上記の点に鑑みて、マットレスを使用するために、折り畳んでいた、或は、丸く巻き上げていたマットレスを緊縛していたマットレスと一体のベルトを解いてマットレスを展開し使用したとき、前記、マットレスを緊縛していたベルト面に設けられた滑り止めの効果によりマットレスの床面に対する妄動を防止することを可能とした、就寝者の体動によるマットレスのずれ防止手段を設けたことを特徴とする。
更に、前記ベルト先端に設けられているマットレス緊縛のための面ファスナーは、フック面が取り扱い者に対面することのないように、マットレスを緊縛する際とマットレスを展開使用する際とにおける使用者に対するフック面とを反転可能にして、ざらつき感を有するフック面と使用者との接触をなくしたことを特徴としている。
【課題を解決するための手段】
【０００７】
請求項１記載の考案は、裏面を外側にして巻き上げたマットレスの端縁部の裏面に、先端部をマットレス外側に向け突出した自由端部とし、基端部を固定端部としてマットレス端縁部に固定されたベルトを設け、前記ベルトの自由端部の裏面には面ファスナー・フックを設け、前記ベルトの突出時に該ベルト先端に設けられた前記マットレス緊縛固定用面ファスナー・フックと対向するマットレスの面には前記マットレス緊縛固定用面ファスナー・フックと係合する面ファスナー・パイルを設け、前記ベルトの突出した自由端をベルトの基端部においてマットレス側に折り返すと共にベルトの先端部のマットレス緊縛固定用面ファスナー・フックもマットレス面に対向するよう折り返し、前記マットレス緊縛固定用面ファスナー・フックと対向するマットレスの面に面ファスナー・パイルを設けている。
請求項２記載の考案は、請求項1記載のマットレスにおいて、ベルトのマットレスと接する面に発泡体をプリントしてなる滑り止めを施している。
【考案の効果】
【０００８】
マットレス使用中はマットレスの緊縛を開放するマットレス緊縛用のベルトが、前記の解放に妄動し、扱い上邪魔になるのでベルトの固定手段であるベルトに設けた面ファスナー部分と、本体カバーに設置した面ファスナーとを固定したためにマットレスの使用時ベルトの妄動を阻止することが出来るようになった。
上記ベルトの妄動阻止のために、固定手段であるベルトに設けた面ファスナーと本体カバーに設けた面ファスナーとはベルトに設けた面ファスナーを当該面ファスナーが設けられているベルト先端を折り返すことにより一対の面ファスナーを対向させたために、ベルト先端の面ファスナーのフックは常にマットレスの方向を向くことになり使用者側とは反対面を向くため前記フックが使用者に接することが無く、不快感を与えることもない。
また、ベルトの裏面に発泡体をプリントしてなる滑り止めを施したために、マットレスを使用している就寝者の、体動を受けてもマットレスがずれ動くことがないという効果も生ずる。
【図面の簡単な説明】
【０００９】
【図１】展開した状態のマットレスの裏面を示し、対に設けた一方のベルト１１の自由端部をマットレス側に折り返した状態（鎖線で示す）の斜視図。
【図２】マットレス裏面に取り付けたベルトの自由端を持ち上げた状態の拡大斜視図。
【図３】マットレスの収納時にマットレスを巻いた状態の斜視図で、（Ａ）は全ベルトを固定した状態、（Ｂ）は一方のベルトを解放した状態を示す。
【図４】（Ａ）はベルト先端の自由端部を示す斜視図で、（Ｂ）は折り返し部で折り返した状態を示す面ファスナーを設けた面を示す。
【考案を実施するための形態】
【００１０】
本考案の実施の形態を図面と共に次に説明する。本考案マットレス１は、ウレタンフォーム等の詰物部材２の外面をカバー布３で覆ってなる敷寝具座布団等の敷寝具類４に係り、該敷寝具類４を使用後収納する際に、敷寝具類４をコンパクトに形を整え緊縛するための固定部材５を敷寝具類４に設けたことを特徴とするもので、マットレス１は敷寝具類４のその用途に応じた平面形状を採用している。図１に示すマットレス１の裏面側を示す例は、敷寝具として使用する例を示し、マットレス１は平面視就寝者（図示せず）の身長方向６に延びた長方形をなし、就寝者の頭部が位置するマットレス１の端縁部７下面に、マットレス緊縛用の固定部材５を設けている。図１に示す例はマットレス１の裏面が上位に位置するよう表裏反転した状況を示している。
【００１１】
固定部材５は、マットレス１の不使用時にマットレス１を小さく形を整えて緊縛するため、マットレス１の端縁部７の裏面部８に図１に１点鎖線で示す如く、先端部をマットレス１の長手方向外側に向け突出して自由端部９とし、自由端部９の反対端の基端部は固定端部１０としてたベルト１１をマットレス１のカバー布３に設けてなるものである。そして、ベルト１１の自由端部９と固定端部１０とのそれぞれの折り返し部１２ａ，１２ｂにおいてベルト１１を図１に実線で示すようにそれぞれ折り返した際に、自由端部９の折り返された先端部に設けたマットレス緊縛固定用面ファスナー・フック１３と対面する位置のマットレス１のカバー布３に、ベルト固定用面ファスナー・パイル１４を設けてなる。
【００１２】
また、ベルト１１の固定端部１０及び自由端部９における折り返し部１２ａ，１２ｂの屈折を解いた際、（図３の状態）ベルト１１の自由端部９に設けられているマットレス緊縛固定用面ファスナー・フック１３が対面するマットレス１の面にはマットレス緊縛用面ファスナー・パイル１５を設ける。マットレス緊縛固定用面ファスナー・フック１３に対面するマットレス１にはベルト位置保持用面ファスナー・パイル１４を設ける。ベルト１１の自由端に設けられたマットレス緊縛固定用面ファスナー・フック１３と対面するマットレス１の面には、マットレス緊縛用面ファスナー・パイル１５（図３に図示）を設けている。
【００１３】
ベルト１１は可撓性を有し、巻いたマットレス１を緊縛することが出来る素材のものであれば良いが、本考案にあっては２枚の表裏の生地を重ね合わせ、周囲を縫着してなり、かつ、マットレス１にベルト１１を縫着した際に、マットレスの裏面となる側の面と同側のベルト面に発泡プリントによる適宜模様の滑り止め１６を施してある。図２に示す例はベルト１１の幅よりも短い長さの突条体１７を３列に配したもので、模様は滑り止め効果を得られれば適宜で良い。
【００１４】
本考案マットレス１は、上記の如く構成されているが、今、マットレス１の使用を終了しマットレス１を巻き取り収納しようとしたとする。その際、マットレス１を就寝者の身長方向（図１に矢印６で示す方向）に巻き上げ、巻き姿を図３Ａに示す如くする。
その際、ベルト１１の両端部の折り返し部１２ａ，１２ｂを直線状に延ばした上で、ベルト１１の自由端に設けられているマットレス緊縛固定用ファスナー・フック１３をマットレス裏面部８に設けてあるマットレス緊縛固定用面ファスナー・パイル１５に係止することで、マットレス１は円筒状に固定され整形緊縛されることになる。
【００１５】
マットレスを使用する際は、所定位置に筒状のマットレス１を置き、前記と逆にマットレス緊縛固定用面ファスナー・パイル１５とベルト１１のマットレス緊縛固定用面ファスナー・フック１３とを外し、マットレス１を展開すれば良く、その際に前記取り外したベルト１１の面ファスナー・フック１３は、折り返し部１２ｂで折り返し屈曲させて、ベルト位置固定用面ファスナー・パイル１４と噛み合わせ、前記マットレス緊縛固定用面ファスナー・フック１３のフック面が敷寝具類４の外面に現れるのを防止し、寝具使用者がファスナーのフック面に触れて刺激を受けるような事態の発生を防いでいる。
同時に上記操作によりベルト１１の滑り止１６が、ベルト１１表面に現れるので滑り止１６の存在により就寝者の動きに伴ってマットレスが移動するという事態が生ずるのを防止している。  
【産業上の利用可能性】
【００１６】
本考案は敷寝具の例としてマットレスの実施例を説明し、不使用時における収納の際の作業の軽減効果について開示しているが、小型の玄関マットの如き、使用中に移動し易い敷物等に、本考案を利用することも可能である。
【符号の説明】
【００１７】
１  マットレス
２  詰物部材
３  カバー布
４  敷寝具類
５  緊縛用の固定部材
６  身長方向
７  端縁部
８  マットレス裏面部
９  自由端部
１０  固定端部
１１  ベルト
１２ａ  自由端部折り返し部
１２ｂ  固定端部折り返し部
１３  マットレス緊縛固定用面ファスナー・フック
１４  ベルト固定用面ファスナー・パイル
１５  マットレス緊縛用面ファスナー・パイル
１６  滑り止
１７  突条体 
【図１】
0003186577.tif 000003
【図２】
0003186577.tif 000004
【図３】
0003186577.tif 000005
【図４】
0003186577.tif 000006
【手続補正書】
【提出日】平成25年8月12日(2013.8.12)
【手続補正１】
【補正対象書類名】実用新案登録請求の範囲
【補正対象項目名】全文
【補正方法】変更
【補正の内容】
【実用新案登録請求の範囲】
【請求項１】
一端を固定端部(１０)とし、他端を自由端部(９)としたベルト(１１)の、前記固定端部(１０)をマットレス(１)の端縁部(７)の裏面部(８)に、前記自由端部(９)がマットレス外側に向け突出するよう固定し、自由端部(９)の、マットレス(１)の裏面部(８)に相対する面には、ベルト位置固定用面ファスナー・フック(１３)を設けると共に、ベルト(１１)に設けた自由端部折り返し部(１２ａ)及び固定端部折り返し部(１２ｂ)を折り返してベルト(１１)を屈折し、ベルト位置固定用面ファスナー・フック(１３)をマットレス裏面部と対向させ、面ファスナー・フック(１３)が対向するマットレス裏面部(８)に、ベルト固定用面ファスナー・パイル(１４)を配してなるマットレス(１)。
【請求項２】
前記ベルト(１１)の一面又は両面に発泡体をプリントしてなる滑り止め(１６)を施したことを特徴とする請求項１記載のマットレス(１)。